(57)【要約】【課題】本発明は、着用者の疲労の低減を図ったボトム衣類を提供することを目的とする。【解決手段】ボトム衣類１は、着用者の腹部を覆う腹覆い部５、及び臀部を覆う臀覆い部６を有するボトム本体２と、該ボトム本体２の下方側に連続して設けられて、着用者の両脚部それぞれを覆う脚覆い部３と、を備え、基準領域１１と、該基準領域１１よりも締付け力が大きい締付け領域９と、該基準領域１１よりも締付け力が小さいメッシュ領域８と、を有し、メッシュ領域８は、締付け領域９に囲まれている。【選択図】図１
2018012903.tif 000002
【特許請求の範囲】
【請求項１】
着用者の腹部を覆う腹覆い部、及び臀部を覆う臀覆い部を有するボトム本体と、
該ボトム本体の下方側に連続して設けられて、着用者の両脚部それぞれを覆う脚覆い部と、を備えるボトム衣類であって、
基準領域と、該基準領域よりも締付け力が大きい締付け領域と、該基準領域よりも締付け力が小さいメッシュ領域と、を有し、
前記メッシュ領域は、前記締付け領域に囲まれていることを特徴とするボトム衣類。
【請求項２】
前記メッシュ領域は、着用者の膝裏よりも上方かつ脇線側に位置するように、前記脚覆い部に設けられていることを特徴とする請求項１に記載のボトム衣類。
【請求項３】
前記脚覆い部が、脚前側構成部と、脚後側構成部と、を有して環状に設けられ、これらの境界位置に、脇線部及び脚中心側部を有し、
前記脚覆い部において、前記締付け領域は、前記メッシュ領域を囲みつつ、前記脚後側構成部の上縁から下縁まで延在する後側基部と、該後側基部から延出される第１幹部、第２幹部及び第３幹部と、を有し、
前記後側基部は、前記メッシュ領域から上方及び下方に向かうにしたがって前記脚中心側部に近づくように延在し、
前記第１幹部は、前記脚後側構成部において、前記メッシュ領域より上方の位置から上方に向かうにしたがって前記脇線部に近づくように当該脇線部まで延在し、前記脚前側構成部に連続され、当該脚前側構成部において、上方に向かうにしたがって前記脚中心側部に近づくように当該脚前側構成部の上縁まで延在し、
前記第２幹部は、前記脚後側構成部において、前記メッシュ領域より下方の位置から上方に向かうにしたがって前記脇線部に近づくように当該脇線部まで延在し前記脚前側構成部に連続され、当該脚前側構成部において、上方に向かうにしたがって前記脚中心側部に近づくように延在しつつ当該脚中心側部の手前で前記脇線部に向かうようにカーブして、前記脚前側構成部の上縁まで延在し、
前記第３幹部は、前記後側基部を挟んで、該後側基部と前記第２幹部との接続位置に対向する位置から、上方に向かうにしたがって前記脚中心側部に近づくように当該脚中心側部まで延在していることを特徴とする請求項２に記載のボトム衣類。
【請求項４】
前記メッシュ領域は、着用者の臍を挟んで左右の両側に位置するように、前記腹覆い部に設けられていることを特徴とする請求項１乃至請求項３のうち何れか一項に記載のボトム衣類。
【請求項５】
前記腹覆い部と前記臀覆い部との境界位置に、一対の脇線部を有し、
前記ボトム本体において、前記締付け領域は、左右一対の前記メッシュ領域それぞれを囲む前側囲み部と、該前側囲み部から延出される左右一対の、第１延在部、第２延在部、第３延在部及び第４延在部と、を有し、
前記第１延在部は、上方に向かうにしたがって前記腹覆い部の前中心部に近づくように当該腹覆い部の上縁まで延在し、
前記第２延在部は、下方に向かうにしたがって前記前中心部に近づくように前記腹覆い部の下縁まで延在し、
前記第３延在部は、上方に向かうにしたがって前記脇線部に近づくように当該脇線部まで延在し、前記臀覆い部に連続されて、当該臀覆い部において、着用者の臀部の上縁に沿いつつ前記臀覆い部の後中心部で左右が連続されるように設けられ、
前記第４延在部は、下方に向かうにしたがって前記脇線部に近づくように当該脇線部まで延在し前記臀覆い部に連続されて、当該臀覆い部において、着用者の臀部の下縁に沿うように、下方に向かうにしたがって前記臀覆い部の後中心部に近づくように延在して設けられていることを特徴とする請求項４に記載のボトム衣類。
【請求項６】
前記第３延在部に延出される一対の第５延在部を有し、
前記第５延在部は、前記後中心部と前記脇線部との中間位置よりも当該脇線部寄りの位置から、上方に向かうにしたがって前記後中心部に近づくように前記臀覆い部の上縁まで延在していることを特徴とする請求項５に記載のボトム衣類。
【請求項７】
前記基準領域、前記締付け領域、及び前記メッシュ領域は、それぞれを構成する編地のデニール数が異なるように形成されていることを特徴とする請求項１乃至請求項６のうち何れか一項に記載のボトム衣類。
【発明の詳細な説明】
【技術分野】
【０００１】
本発明は、ボトム衣類に関する。
【背景技術】
【０００２】
特許文献１には、サポートライン部で覆われた部分に、他の部分よりも大きな着圧を作用させるように構成されたガードルが開示されている。サポートライン部が形成されていることにより、窮屈感を軽減しつつ、太ももを細く見せるように構成されている。
【先行技術文献】
【特許文献】
【０００３】
【特許文献１】特開２０１４−１８９９２３号公報
【発明の概要】
【発明が解決しようとする課題】
【０００４】
しかしながら、特許文献１に記載された従来のガードルにあっては、サポートライン部及びサポートライン部以外の部分は、全体的に体型を補正する程度のサポート力を有しているから、着用者は依然として窮屈であり、疲労を感じさせてしまう。
【０００５】
本発明は、着用者の疲労の低減を図ったボトム衣類を提供することを目的とする。
【課題を解決するための手段】
【０００６】
本発明のボトム衣類は、着用者の腹部を覆う腹覆い部、及び臀部を覆う臀覆い部を有するボトム本体と、該ボトム本体の下方側に連続して設けられて、着用者の両脚部それぞれを覆う脚覆い部と、を備えるボトム衣類であって、基準領域と、該基準領域よりも締付け力が大きい締付け領域と、該基準領域よりも締付け力が小さいメッシュ領域と、を有し、前記メッシュ領域は、前記締付け領域に囲まれていることを特徴とする。
【０００７】
以上のような本発明によれば、メッシュ領域が、締付け領域に囲まれた位置にある。これによれば、締付け領域及びメッシュ領域は、締付け力の大小の差が大きいから、ボトム衣類において、メッシュ領域により、筋肉を締付け過ぎることが抑制される。即ち、締付け力が弱い部分を、締付け力が強い部分が囲むように形成されることで、マッサージ効果により、着用者の筋肉疲労の低減を図ることができる。また、運動後に着用することで、筋肉疲労の回復を早めることができる。
【０００８】
本発明のボトム衣類を着用することで、筋膜のねじれ・ゆがみがリリースされる、即ち、筋膜が解きほぐされる。これにより、筋膜制限を元に戻し、筋と筋の間、もしくは筋と他の構成物の間の可動性や伸張性が改善され、正常に機能できるように案内される。これにより、着用者の筋肉疲労の低減を図ることができる。
【０００９】
また、締付け力が小さい部位が、メッシュ領域により構成されていることで、例えば、メッシュ領域がなく、メッシュ領域に相当する部分として孔部が構成されていた場合に比して、筋肉の孔部の縁による圧迫が低減される。
【００１０】
この際、本発明のボトム衣類では、前記メッシュ領域は、着用者の膝裏よりも上方かつ脇線側に位置するように、前記脚覆い部に設けられていることが好ましい。
【００１１】
また、本発明のボトム衣類では、前記脚覆い部が、脚前側構成部と、脚後側構成部と、を有して環状に設けられ、これらの境界位置に、脇線部及び脚中心側部を有し、前記脚覆い部において、前記締付け領域は、前記メッシュ領域を囲みつつ、前記脚後側構成部の上縁から下縁まで延在する後側基部と、該後側基部から延出される第１幹部、第２幹部及び第３幹部と、を有し、前記後側基部は、前記メッシュ領域から上方及び下方に向かうにしたがって前記脚中心側部に近づくように延在し、前記第１幹部は、前記脚後側構成部において、前記メッシュ領域より上方の位置から上方に向かうにしたがって前記脇線部に近づくように当該脇線部まで延在し、前記脚前側構成部に連続され、当該脚前側構成部において、上方に向かうにしたがって前記脚中心側部に近づくように当該脚前側構成部の上縁まで延在し、前記第２幹部は、前記脚後側構成部において、前記メッシュ領域より下方の位置から上方に向かうにしたがって前記脇線部に近づくように当該脇線部まで延在し前記脚前側構成部に連続され、当該脚前側構成部において、上方に向かうにしたがって前記脚中心側部に近づくように延在しつつ当該脚中心側部の手前で前記脇線部に向かうようにカーブして、前記脚前側構成部の上縁まで延在し、前記第３幹部は、前記後側基部を挟んで、該後側基部と前記第２幹部との接続位置に対向する位置から、上方に向かうにしたがって前記脚中心側部に近づくように当該脚中心側部まで延在していることが好ましい。
【００１２】
また、本発明のボトム衣類では、前記メッシュ領域は、着用者の臍を挟んで左右の両側に位置するように、前記腹覆い部に設けられていることが好ましい。
【００１３】
また、本発明のボトム衣類では、前記腹覆い部と前記臀覆い部との境界位置に、一対の脇線部を有し、前記ボトム本体において、前記締付け領域は、左右一対の前記メッシュ領域それぞれを囲む前側囲み部と、該前側囲み部から延出される左右一対の、第１延在部、第２延在部、第３延在部及び第４延在部と、を有し、前記第１延在部は、上方に向かうにしたがって前記腹覆い部の前中心部に近づくように当該腹覆い部の上縁まで延在し、前記第２延在部は、下方に向かうにしたがって前記前中心部に近づくように前記腹覆い部の下縁まで延在し、前記第３延在部は、上方に向かうにしたがって前記脇線部に近づくように当該脇線部まで延在し、前記臀覆い部に連続されて、当該臀覆い部において、着用者の臀部の上縁に沿いつつ前記臀覆い部の後中心部で左右が連続されるように設けられ、前記第４延在部は、下方に向かうにしたがって前記脇線部に近づくように当該脇線部まで延在し前記臀覆い部に連続されて、当該臀覆い部において、着用者の臀部の下縁に沿うように、下方に向かうにしたがって前記臀覆い部の後中心部に近づくように延在して設けられていることが好ましい。
【００１４】
また、本発明のボトム衣類では、前記第３延在部に延出される一対の第５延在部を有し、前記第５延在部は、前記後中心部と前記脇線部との中間位置よりも当該脇線部寄りの位置から、上方に向かうにしたがって前記後中心部に近づくように前記臀覆い部の上縁まで延在していることが好ましい。
【００１５】
また、本発明のボトム衣類では、前記基準領域、前記締付け領域、及び前記メッシュ領域は、それぞれを構成する編地のデニール数が異なるように形成されていることが好ましい。ボトム衣類は、基準領域、締付け領域、及びメッシュ領域が、デニール数が異なる編地から構成されていることで、例えば、締付け力が大きい部位に伸縮力が異なる生地を二重にすることで構成することなく製造することができるから、製造コストの低減を図りつつ、マッサージ効果により、より一層、着用者の筋肉疲労の低減を図ることができる。
【発明の効果】
【００１６】
本発明のボトム衣類によれば、着用者の疲労の低減を図ることを目的とする。
【図面の簡単な説明】
【００１７】
【図１】本発明の一実施の形態にかかるボトム衣類を示す平面図であり、（Ａ）は、正面側から見た図であり、（Ｂ）は、背面側から見た図である。
【図２】図１に示されたボトム衣類が縫製される前の展開状態の各パーツを示す平面図である。
【図３】図１に示されたボトム衣類を着用した状態を示す図である。
【発明を実施するための形態】
【００１８】
以下、本発明の例示的一態様である実施形態に係るスパッツ（ボトム衣類）を図１〜図３を参照して説明する。図１は、本発明の一実施の形態にかかるスパッツ１（ボトム衣類）を示す平面図であり、（Ａ）は、正面側から見た図であり、（Ｂ）は、背面側から見た図である。なお、本実施形態では、スパッツ１を着用した状態（以下、着用状態と記す）で、正面側を「前側」と記し、背面側を「後ろ側」と記し、着用者の起立方向を「上下方向」と記し、上下方向と前後方向に直交する方向を「左右方向」と記す場合がある。また、図１に示すように、スパッツ１において、前側の左右の中心を「前中心部５ａ」と記し、この前中心と前後に対向する位置にあるとともに、後ろ側の左右の中心を「後中心部６ａ」と記し、着用状態において、着用者の脇線に重なる部分を「脇線部１ａ１、１ａ２」（図１（Ａ）、図２に示す）と記す場合がある。また、スパッツ１は、その前中心部５ａが、着用者の臍と対向する位置にあるように着用されている。
【００１９】
なお、本実施形態におけるスパッツ１とは、下着またはボトムスの一種である。また、本明細書で用いられる「スパッツ」との語は、伸縮性のある素材でできた、腰から脚までフィットするズボンまたは、タイツ状の衣類を総称する語である。また、本実施形態におけるスパッツ１は、足首まで覆う１０分丈の構成である。
【００２０】
スパッツ１は、図１、図２に示すように、ボトム本体２と、該ボトム本体２の下方に連続されるとともに、着用者の両脚部それぞれを覆う一対の脚覆い部３、３と、を有して構成されている。このスパッツ１は、所定形状を有する（後述する）各パーツが、縫い合わされることで構成されている。各パーツとは、図２に示すように、ボトム本体２を構成する環状部本体７及び二股形成部４、並びに一対の脚覆い部３、３のことである。各パーツは、伸縮性を有する編地が、所定の形状に切断されて構成される。これらの各パーツは、それぞれ、デニール数が異なるように編まれた基準領域１１、基準領域１１よりも締付け力が大きい締付け領域９、及び基準領域１１よりも締付け力が小さいメッシュ領域８を備えて、一重仕立てに構成されている。なお、図１において、二股形成部４を示す符号は、図１（Ａ）のみに記載するものとする。図２は、図１に示されたボトム衣類が縫製される前の展開状態の各パーツを示す平面図である。
【００２１】
スパッツ１において、図２に示すように、締付け領域９及びメッシュ領域８以外の部分は、基準領域１１から構成されている。締付け領域９は、ボトム本体２に設けられた上方側締付け領域９Ａと、脚覆い部３に設けられた下方側締付け領域９Ｂと、を有して構成され、メッシュ領域８は、ボトム本体２に設けられた上方側メッシュ領域８Ａと、脚覆い部３に設けられた下方側メッシュ領域８Ｂと、を有して構成され、基準領域１１は、ボトム本体２に設けられた上方側基準領域１１Ａと、脚覆い部３に設けられた下方側基準領域１１Ｂと、を有して構成されている。なお、図１において、上方側基準領域１１Ａ、下方側基準領域１１Ｂを示す符号は、図１（Ａ）のみに記載するものとする。
【００２２】
また、本実施形態のスパッツ１は、メッシュ領域８が、略５００デニールの編地から構成され、締付け領域９が、略５８０デニールの編地から構成され、基準領域１１が、    ５４０デニールの編地から構成されている。
【００２３】
また、本実施形態では、メッシュ領域８が、略５００デニールの編地から構成されているが、本発明はこれに限定されない。メッシュ領域が、略５２５デニールであることが好ましく、略５１２デニールであることがさらに好ましく、略５００デニールであることが好ましい。また、メッシュ領域が、略４７５デニールであることが好ましく、略４８８デニールであることがさらに好ましい。
【００２４】
また、本実施形態では、締付け領域９が、略５８０デニールの編地から構成されているが、本発明はこれに限定されない。締付け領域が、略６０９デニールであることが好ましく、略５９４デニールであることがさらに好ましく、略５８０デニールであることが好ましい。また、締付け領域が、略５５１デニールであることが好ましく、略５６５デニールであることがさらに好ましい。
【００２５】
また、本実施形態では、基準領域１１が、略５４０デニールの編地から構成されているが、本発明はこれに限定されない。基準領域が、略５６７デニールであることが好ましく、略５５３デニールであることがさらに好ましく、略５４０デニールであることが好ましい。また、基順領域が、略５１３デニールであることが好ましく、略５２７デニールであることがさらに好ましい。
【００２６】
ボトム本体２は、図２に示す展開状態において、着用者の腹部を覆う腹覆い部５、及び臀部を覆う臀覆い部６を有する環状部本体７と、環状部本体７の下縁において、腹覆い部５の前中心部５ａ（図１（Ａ）、図２（Ａ）において、一点鎖線で示す）から、臀覆い部６の後中心部６ａまで架け渡される二股形成部４と、を備えている。二股形成部４は、着用者の左右の脚部を挿通させるように二股となるように形成されている。
【００２７】
環状部本体７は、図２に示すように、前中心部５ａを軸とする線対称となるように形成されている。また、環状部本体７は、腹覆い部５と、腹覆い部５の左右の両側に本体脇線部１ａ１（脇線部）を介して連続される臀覆い部形成部６１、６２（臀覆い部６）とを備えて構成されている。
【００２８】
腹覆い部５は、図２に示すように、直線状の前中心部５ａと、着用者のウエスト部分に位置する直線状の上縁５ｂと、上縁５ｂの左右の両端に連続される一対の本体脇線部１ａ１、１ａ１と、本体脇線部１ａ１の各下端から、前中心部５ａまで、滑らかに連続する曲線から形成された腹覆い部５の下縁５１ｄ、５２ｄと、を有して構成されている。
【００２９】
臀覆い部形成部６１、６２は、図２に示すように、環状部本体７の両端に位置する一対の後中心形成部６ａ´、６ａ´（後中心部６ａ）と、腹覆い部５の上縁５ｂに連続される上縁６１ｂ、６２ｂと、一対の後中心形成部６ａ´、６ａ´それぞれの下側の角の一部を略三角形状に切り欠いた一対の斜辺部６ｃ、６ｃと、各斜辺部６ｃ、６ｃの各下端から、腹覆い部５の下縁５１ｄ、５２ｄまで滑らかに連続する曲線から形成された下縁６１ｄ、６２ｄと、を有して構成されている。
【００３０】
また、環状部本体７において、下縁５１ｄ（５２ｄ）、６１ｄ（６２ｄ）は、後中心部６ａ側の端部より、前中心部５ａ側の端部が上方に位置するように設けられている。このような環状部本体７は、一対の後中心形成部６ａ´、６ａ´を互いに近付け、本体脇線部１ａ１、１ａ１で折り返し、これら後中心形成部６ａ´、６ａ´同士を互いに縫い合わされることで構成されている。
【００３１】
さらに、環状部本体７には、上方側メッシュ領域８Ａ、上方側締付け領域９Ａ及び上方側基準領域１１Ａが、前中心部５ａを軸とする線対称となるように形成されている。
【００３２】
上方側メッシュ領域８Ａは、図３に示すように、着用状態において、着用者の臍を挟んで左右の両側に位置するように設けられている。また、図２に示すように、上方側メッシュ領域８Ａは、平面視が円形状に設けられているとともに、腹覆い部５の上下の略中心部において、前中心部５ａと本体脇線部１ａ１、１ａ１との中間位置よりも前中心部５ａ側に設けられている。即ち、上方側メッシュ領域８Ａは、前中心部５ａと本体脇線部１ａ１、１ａ１との間において、本体脇線部１ａ１、１ａ１から前中心部５ａ側に略３分の２程度ずれた位置に設けられている。
【００３３】
上方側締付け領域９Ａは、図２に示すように、上方側メッシュ領域８Ａの周囲を囲む前側囲み部９１Ａと、前側囲み部９１Ａから延出される第１延在部９２Ａ、第２延在部９３Ａ、第３延在部９４Ａ、第４延在部９５Ａ、及び第５延在部９６Ａと、を有している。
【００３４】
第１延在部９２Ａは、前側囲み部９１Ａから上方に向かうにしたがって前中心部５ａに近づくように延在して、腹覆い部５の上縁５ｂまで連続されている。第１延在部９２Ａは、前側囲み部９１Ａを囲む程度の幅寸法を有し、上方に向かうにしたがってその幅寸法が徐々に小さくなるように形成されている。
【００３５】
第２延在部９３Ａは、前側囲み部９１Ａから下方に向かうにしたがって前中心部５ａに近づくように延在して、腹覆い部５の下縁５１ｄ、５２ｄまで連続されている。第２延在部９３Ａは、前側囲み部９１Ａを囲む程度の幅寸法を有し、腹覆い部５の下縁５１ｄ、５２ｄに到るまで、幅寸法は略一定に形成されている。
【００３６】
第３延在部９４Ａは、前側囲み部９１Ａから上方に向かうにしたがって本体脇線部１ａ１、１ａ１に近づくように延在して、当該本体脇線部１ａ１、１ａ１まで連続されている。さらに、第３延在部９４Ａは、本体脇線部１ａ１、１ａ１の上端と下端との間において上端から３分の１程度下方の位置を越えて、臀覆い部６において、着用者の臀部の上縁に沿うように、臀覆い部６の上縁６１ｂ、６２ｂと平行になるように設けられている。即ち、第３延在部９４Ａは、腹覆い部５に位置する前側第３延在部９４Ａ１と、臀覆い部６に位置する後側第３延在部９４Ａ２と、を有して構成されている。第３延在部９４Ａは、前側囲み部９１Ａから、臀覆い部６の後述する第５延在部９６Ａに到るまで、幅寸法が略一定に形成され、第５延在部９６Ａよりも後中心部６ａ側の部分は、第３延在部９４Ａの他の部分に比して、幅寸法が大きくなるように形成されている。
【００３７】
第４延在部９５Ａは、前側囲み部９１Ａから下方に向かうにしたがって本体脇線部１ａ１、１ａ１に近づくように延在して、当該本体脇線部１ａ１、１ａ１まで連続されている。さらに、第４延在部９５Ａは、本体脇線部１ａ１、１ａ１の上端と下端との間において上端から３分の２程度下方の位置を越えて、臀覆い部６において、着用者の臀部の下縁に沿うように、下方に向かうに従って後中心部６ａに近づくように延在して設けられている。即ち、第４延在部９５Ａは、腹覆い部５に位置する前側第４延在部９５Ａ１と、臀覆い部６に位置する後側第４延在部９５Ａ２と、を有して構成されている。第４延在部９５Ａは、一端から他端まで、幅寸法が略一定となるように設けられている。
【００３８】
第５延在部９６Ａは、第３延在部９４Ａから上方に向かうにしたがって、後中心部６ａ´に近づくように延在（延出）して、臀覆い部６の上縁６１ｂ、６２ｂまで連続して設けられている。また、第５延在部９６Ａは、第３延在部９４Ａ側の一端が、第３延在部９４Ａの本体脇線部１ａ１、１ａ１と後中心部６ａとの間において、本体脇線部１ａ１、１ａ１から３分の１程度後中心部６ａ側の位置に接続され、臀覆い部６の上縁６１ｂ、６２ｂ側の他端が、当該臀覆い部６の上縁６１ｂ、６２ｂにおいて、本体脇線部１ａ１、１ａ１と後中心部６ａとの略中間位置に接続されている。また、第５延在部９６Ａは、一端から他端まで、幅寸法が略一定となるように設けられている。
【００３９】
二股形成部４は、図２に示すように、左右方向の中心線Ｐを軸とする線対称となるような略四角形状に形成されている。この二股形成部４は、所定の幅を有して、前後方向に延在するとともに、前方に向かうにしたがって徐々に幅広と成るように形成されている。また、二股形成部４は、前辺部４ａと、後辺部４ｂと、これら前辺部４ａ及び後辺部４ｂに連続される一対の側辺部４ｃ、４ｃと、を有して形成されている。前辺部４ａは、山型形状となるように形成され、その頂部４ｄが、前辺部４ａの左右の中心線Ｐ上に位置するように設けられている。このような二股形成部４は、前辺部４ａの頂部４ｄが、腹覆い部５の前中心部５ａに近付けられ、頂部４ｄを挟んで左右の両側に位置する斜辺部４ｅ、４ｅが、腹覆い部５の下縁５１ｄ、５２ｄの前中心部５ａ側の一部に近付けられて縫い合わされている。後辺部４ｂは、左右の中心線Ｐ上の位置が、臀覆い部６の後中心部６ａに近付けられ、後辺部４ｂの左右の中心線Ｐを挟む両側部分が、臀覆い部６の下縁６１ｄ、６２ｄの後中心部６ａ側の一部に近付けられて縫い合わされている。また、各側辺部４ｃ、４ｃは、脚覆い部３における脚前側構成部３１の上縁３１ａにおける中心側部分３１ａ２に縫い合わされている。
【００４０】
各脚覆い部３は、図２に示すように、脚前側構成部３１と、脚後側構成部３２と、を有している。脚前側構成部３１及び脚後側構成部３２は、脚側脇線部１ａ２（脇線部）で折り返されて、脚前側構成部３１及び脚後側構成部３２における脚側脇線部１ａ２から離れた端部（脚中心側部３ａ´、３ａ´）同士が縫い合わされて環状に設けられている。
【００４１】
脚前側構成部３１の上縁３１ａは、脇線側部分３１ａ１と、脇線側部分３１ａ１より前中心部５ａ側に連続される中心側部分３１ａ２と、を有して構成されている。脇線側部分３１ａ１と中心側部分３１ａ２とは、山型形状となるように形成され、脇線部側部分３１ａ１と中心側部分３１ａ２との境界に頂部３１ｂが位置するように設けられている。
【００４２】
このような脚前側構成部３１は、脇線側部分３１ａ１が、腹覆い部５の下縁５１ｄ、５２ｄの一部に縫い合わされ、中心側部分３１ａ２が、二股形成部４の側辺部４ｃ、４ｃに縫い合わされている。各脚後側構成部３２の上縁３２ａは、臀覆い部６の下縁６１ｄ、６２ｄに縫い合わされている。
【００４３】
さらに、脚覆い部３には、下方側メッシュ領域８Ｂ、下方側締付け領域９Ｂ及び下方側基準領域１１Ｂが形成されている。
【００４４】
下方側メッシュ領域８Ｂは、図３に示すように、着用状態において、膝裏よりも上方かつ、膝裏よりも脚側脇線部１ａ２側に位置するように設けられている。下方側メッシュ領域８Ｂは、図２に示すように、脚覆い部３の脚側脇線部１ａ２における上下の中間位置より僅かに上方側かつ、脚後側構成部３２の脚側脇線部１ａ２と脚中心側部３ａとの中間よりも脚側脇線部１ａ２側にずれた位置に設けられている。
【００４５】
下方側締付け領域９Ｂは、図２に示すように、下方側メッシュ領域８Ｂを囲みつつ、脚後側構成部３２の上縁３２ａから下縁３２ｂまで延在する後側基部９１Ｂと、後側基部９１Ｂから延出される第１幹部９２Ｂ、第２幹部９３Ｂ、及び第３幹部９４Ｂを有している。
【００４６】
後側基部９１Ｂは、脚後側構成部３２の下縁３２ｂから下方側メッシュ領域８Ｂを超える位置まで直線状に延在する下方側延在部９１Ｂ１と、下方側延在部９１Ｂ１の上方に連続されて、脚後側構成部３２の上縁３２ａまで直線状に延在する上方側延在部９１Ｂ２と、を有して構成されている。下方側延在部９１Ｂ１は、脚後側構成部３２の脚中心側部３ａ側の下側の角部から脇側脇線部１ａ２側に向かうように延在して設けられ、上方側延在部９１Ｂ２は、下方側延在部９１Ｂ１の上端から、各臀覆い部６、６の下縁６１ｄ、６２ｄの左右の中間部に到るように延在している。即ち、後側基部９１Ｂは、下方側メッシュ領域８Ｂを囲む部分から上方に向かうにしたがって脚中心側部３ａに近づくように延在されるとともに、下方側メッシュ領域８Ｂを囲む部分から下方に向かうにしたがって脚中心側部３ａに近づくように延在している。
【００４７】
第１幹部９２Ｂは、後側基部９１Ｂにおいて、下方側メッシュ領域８Ｂより上方の位置から、上方に向かうにしたがって脇側脇線部１ａ２に近づくように延在して脇側脇線部１ａ２まで連続され、脚前側構成部３１において、上方に向かうにしたがって脚中心側部３ａに近づくように延在して脚前側構成部３１における上縁３１ａの中心側部分３１ａ２まで連続されている。この第１幹部９２Ｂは、一端から他端まで、幅寸法が略一定となるように形成されているとともに、中心側部分３１ａ２の頂部３１ｂ側の端部に位置するように延在して設けられている。即ち、第１幹部９２Ｂは、脚前側構成部３１に位置する前側第１幹部９２Ｂ１と、脚後側構成部３２に位置する後側第１幹部９２Ｂ２と、を有して構成されている。
【００４８】
第２幹部９３Ｂは、脚後側構成部３２において、後側基部９１Ｂの下方側延在部９１Ｂ１の上下方向の中間位置から、上方に向かうにしたがって脇側脇線部１ａ２に近づくように延在して、脇側脇線部１ａ２まで連続され、脚前側構成部３１において、上方に向かうにしたがって脚中心側部３ａに近づくように延在し、脚中心側部３ａの手前側で脇側脇線部１ａ２に向かうようにカーブして、脚前側構成部３１における上縁３１ａの脇線側部分３１ａ１に位置するように設けられている。即ち、第２幹部９３Ｂは、脚前側構成部３１に位置する前側第２幹部９３Ｂ１と、脚後側構成部３２に位置する後側第２幹部９３Ｂ２と、を有して構成されている。
【００４９】
第３幹部９４Ｂは、後側基部９１Ｂを挟んで、第２幹部９３Ｂの接続位置と対向する位置から、上方に向かうにしたがって脚中心側部３ａに近づくように延在して当該脚中心側部３ａまで連続して設けられている。第３幹部９４Ｂは、その全長の幅寸法が略一定となるように形成されている。
【００５０】
このようなスパッツ１において、前側囲み部９１Ａ及び、第１延在部９２Ａ〜第５延在部９６Ａ、並びに、後側基部９１Ｂ及び、第１幹部９２Ｂ〜第３幹部９４Ｂが形成されていることにより、筋膜ラインに沿って、筋膜のよじれ、ねじれが解消され、筋出力と筋肉の柔軟性が改善される。
【００５１】
また、スパッツ１（ボトム衣類）は、メッシュ領域８が、締付け領域９に囲まれた位置にある。これによれば、メッシュ領域８及び締付け領域９は、締付け力の大小の差が大きいから、スパッツ１において、メッシュ領域８が形成されていることにより、過度な締付けが抑制されるとともに、締付け力が弱いメッシュ領域８を、締付け力が強い締付け領域９が囲むように形成されることで、筋肉がほぐされ、マッサージ効果により、着用者の疲労の低減を図ることができる。
【００５２】
ここでいう「マッサージ効果」とは、筋膜（骨や内臓、血管、神経など、体の中のすべてのパーツを包み、支え、1つにまとめて、からだを形作っているのが筋膜組織）のねじれ・ゆがみがリリースされることである。即ち、筋膜が解きほぐされることである。これにより、筋膜制限を元に戻し、筋と筋の間、もしくは筋と他の構成物の間の可動性や伸張性が改善され、筋膜が正常に機能できるように案内される。
【００５３】
また、締付け力が小さい部位が、メッシュ領域８により構成されていることで、例えば、メッシュ領域８がなく、メッシュ領域８に相当する部分として孔部が構成されていた場合に比して、当該孔部の縁による過度な圧迫が低減される。従って、適宜な場所に、適宜な締付け力を作用させることができる。
【００５４】
また、スパッツ１（ボトム衣類）は、基準領域１１、締付け領域９、及びメッシュ領域８は、それぞれを構成する編地のデニール数が異なるように形成されている。ボトム衣類は、基準領域１１、締付け領域９、及びメッシュ領域８が、デニール数が異なる編地から構成されていることで、例えば、締付け力が大きい部位に伸縮力が異なる生地を二重にすることで構成することなく製造することができるから、製造コストの低減を図りつつ、マッサージ効果により、より一層、着用者の筋肉疲労の低減を図ることができる。
【００５５】
また、本実施形態では、ボトム衣類は、ボトム本体２と一対の脚覆い部３、３と、を有して構成されていたが、本発明はこれに限定されるものではない。ボトム衣類は、一対の脚覆い部３、３のみから構成されていてもよく、ボトム本体２のみから構成されていてもよい。また、本実施形態において、ボトム衣類としてのスパッツ１は、足首まで覆う１０分丈の構成であるが、１分丈、２分丈であってもよく、それ以上であってもよい。即ち、スパッツ１は、適宜な長さとなるように形成されていればよく、その場合には、下方側メッシュ領域８Ｂ、及び締付け領域９もスパッツ１の丈に合わせて形成されて省略してもよい。
【００５６】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明のボトム衣類の構成を具備する限り、勿論、本発明の範疇に含まれるものである。
【符号の説明】
【００５７】
１                スパッツ（ボトム衣類）
１ａ１、１ａ２    脇線部
２                ボトム本体
３                脚覆い部
３ａ              脚中心側部
５                腹覆い部
５ａ              前中心部
６                臀覆い部
６ａ              後中心部
６１ｂ、６２ｂ    臀覆い部の上縁
８                メッシュ領域
８Ａ              上方側メッシュ領域
８Ｂ              下方側メッシュ領域
９                締付け領域
９Ａ              上方側締付け領域
９Ｂ              下方側締付け領域
１１              基準領域
１１Ａ            上方側基準領域
１１Ｂ            下方側基準領域
３１              脚前側構成部
３１ａ            脚前側構成部の上縁
３２              脚後側構成部
９１Ａ            前側囲み部
９２Ａ            第１延在部
９３Ａ            第２延在部
９４Ａ            第３延在部
９５Ａ            第４延在部
９６Ａ            第５延在部
９１Ｂ            後側基部
９２Ｂ            第１幹部
９３Ｂ            第２幹部
９４Ｂ            第３幹部
【図１】
2018012903.tif 000003
【図２】
2018012903.tif 000004
【図３】
2018012903.tif 000005